【事件の表示】
　特許第６３５２１８４号発明「印刷機、及び錠剤の製造方法」の特許異議申立事件について、次のとおり決定する。
【結　論】
　特許第６３５２１８４号の請求項１〜８に係る特許を維持する。
【理　由】
１　手続の経緯
　特許第６３５２１８４号の請求項１〜８に係る特許（以下、「本件特許」という。）についての出願は、平成２５年７月１６日に出願され、平成３０年６月１５日にその特許権の設定登録がされ、平成３０年７月４日に特許掲載公報が発行された。その後、その特許に対し、平成３０年１２月２９日に特許異議申立人亀▲崎▼泰子（以下、「特許異議申立人」という。）は、特許異議の申立てを行った。
２　本件特許発明
　特許第６３５２１８４号の請求項１〜８の特許に係る発明（以下、それぞれの発明を「本件特許発明１」〜「本件特許発明８」という。また、本件特許発明１〜８をまとめて「本件特許発明」という。）は、それぞれ、その特許請求の範囲の請求項１〜８に記載された事項により特定される次のとおりのものである（特許異議申立書の記載にならって、構成要件（Ａ）−（Ｕ）に分説して記載する。）。
「【請求項１】
（Ａ）第１の面と、該第１の面と反対側の第２の面と、を有する錠剤の少なくとも一方の面に印刷する印刷機において、
（Ｂ）前記錠剤を搬送する搬送装置と、
（Ｃ）搬送される前記錠剤の前記第１の面を撮像する第１の撮像装置と、
（Ｄ）前記第１の撮像装置によって得られた画像に基づいて、前記第１の面に溝形状の割線があるか否かを判定する第１の割線判定部と、
（Ｅ）前記第１の撮像装置によって得られた画像に基づいて、前記第１の面における前記割線の位置を算出する第１の割線位置演算部と、
（Ｆ）前記第１の割線位置演算部により算出された前記割線の位置に基づき、前記第２の面に印刷する第２の印刷装置と、を備える印刷機。
　　【請求項２】
（Ｇ）搬送される前記錠剤の前記第２の面を撮像する第２の撮像装置と、
（Ｈ）前記第２の撮像装置によって得られた画像に基づいて、前記第２の面に前記割線があるか否かを判定する第２の割線判定部と、を備える請求項１に記載の印刷機。
　　【請求項３】
（Ｉ）前記第１の面に印刷する第１の印刷装置を備える、請求項１又は２に記載の印刷機。
　　【請求項４】
（Ｊ）前記第２の印刷装置は、前記第２の面における前記第１の面に形成された前記割線と対応する位置に印刷しない、請求項１〜３の何れか１項に記載の印刷機。
　　【請求項５】
（Ｋ）前記第１の割線位置演算部により算出された前記割線の位置に基づき、前記第２の面における印刷情報を生成する第２の印刷情報演算部を備え、
（Ｌ）前記第２の印刷装置は、前記第２の印刷情報演算部により生成された前記印刷情報に基づき、前記第２の面に印刷する、請求項１〜４の何れか１項に記載の印刷機。
　　【請求項６】
（Ｍ）前記第１の割線位置演算部は、前記第１の面の前記割線の所定位置に対する角度を算出し、
（Ｎ）前記第２の印刷情報演算部は、前記第１の割線位置演算部により算出された前記角度に基づいて印刷情報を回転する、請求項５に記載の印刷機。
　　【請求項７】
　前記第２の印刷装置は、前記第１の割線判定部が前記第１の面に前記割線があると判定したときにのみ印刷する、請求項１〜６の何れか１項に記載の印刷機。
　　【請求項８】
（Ｏ）第１の面と、該第１の面と反対側の第２の面と、を有する錠剤の少なくとも一方の面に印刷情報を印刷された錠剤の製造方法であって、
（Ｐ）前記錠剤を搬送する工程と、
（Ｑ）前記錠剤の搬送中に第１の撮像装置によって前記第１の面を撮像する工程と、
（Ｒ）前記第１の撮像装置によって得られた画像に基づき、前記第１の面に溝形状の割線があるか否かを判定する工程と、
（Ｓ）前記第１の撮像装置によって得られた画像に基づき、前記割線の位置を算出する工程と、
（Ｔ）前記割線の位置の算出結果に基づき、前記錠剤の前記第２の面に印刷するための印刷情報を生成する工程と、
（Ｕ）前記錠剤の搬送中に前記印刷情報に基づいて前記第２の面に印刷する工程と、を備える、錠剤の製造方法。」
３　申立理由の概要
　特許異議申立人は、（ａ）本件特許は、特許法第３６条第４項第１号又は第６項に規定する要件を満たしていない特許出願に対してされたものであり、また、（ｂ）主たる証拠として米国特許出願公開第２０１１／０２９１３２９号明細書（以下「甲第１号証」という。）及び従たる証拠として特開２０１１−２０３２５号公報（以下「甲第２号証」という。）、特開平１１−３１５４８４号公報（以下、「甲第３号証」という。）、特開２００７−２０６６６７号公報（以下、「甲第４号証」という。）、特開２００３−３９７６９号公報（以下、「甲第５号証」という。）を提出し、請求項１〜６及び８に係る特許は特許法第２９条第２項の規定に違反してされたものであるから、本件特許を取り消すべきものである旨主張する（以下、上記（ａ）、（ｂ）に係る申立ての理由を、それぞれ、「申立て理由Ａ」、「申立て理由Ｂ」という。）。
４　甲各号証の記載
（１）甲第１号証には、次のとおり記載されている（日本語訳は、特許異議申立人の提出した「甲第１号証の訳文」による。）。
（１−１）「[0002] The present invention relates to a method and apparatus for conveying pellet-shaped articles. In particular, the invention relates to a processing and/or inspection unit for the pellet-shaped articles.」（【０００２】本発明は、ペレット形状の物品を運ぶ方法および装置に関する。特に、本発明はペレット形状の物品の処理および／または検査ユニットに関する。）
（１−２）「[0003] Processing of pellet-shaped articles, e.g., pharmaceuticals such as caplets and tablets, confections (e.g., lentil shaped coated chocolate candies), edible and non-edible articles, etc., is known in the art. Processing operations typically include marking the articles with indicia (e.g., logos, multi-color designs, alpha-numeric, etc.), laser drilling the articles and/or coating the articles. Processing operations are often performed in a sequential manner wherein articles are conveyed past a first processing unit that performs a first processing operation and then past a second processing unit, downstream from the first processing unit, that performs a second processing operation.」（【０００３】例えばカプレットやタブレットなどの医薬品、錠菓（例えば、レンズマメ形状のチョコレートコーティングキャンディ）、食用および非食用の物品、のようなペレット形状の物品に対する処理が、従来技術において知られている。処理操作は典型的には、物品に印（例えば、ロゴ、カラーデザイン、英数字列など）をマーキングすること、レーザによる物品の穿孔、および／または物品のコーティングを含む。処理操作は、しばしば、物品が第１処理ユニットを通過するときに、第１の処理操作が実行され、物品が第１処理ユニットよりも下流側の第２処理ユニットを通過するときに、第２の処理操作が実行される、といった経時的な方法で実行される。）
（１−３）「[0035] FIG. 1 illustrates a servo drum printing system 10 according to an embodiment of the present invention. The system 10 includes a conveyer 15 in the form of a three-drum printer that rotates in the directions indicated by the arrows on the drums. The three drums include a feed drum 20 , a first processing drum 25 in the form of a first print drum and a second processing drum 30 in the form of a second print drum.
[0036] Product in the form of pellet shaped articles, e.g., pharmaceuticals or confections, are provided to the feed drum in a random order. In one example, the product is a tablet or is generally lentil shaped, including a first side that is face down on the feed drum, and a second side that faces away from the feed drum, such that the second side is exposed for processing. Other ones of the articles are positioned such that the second side is face down and the first side is exposed, i.e., the articles are said to be provided to the feed drum in “random” order since some of the articles in the feed drum have the first side exposed and others in the feed drum have the second side exposed. The articles are positioned within the recesses on the drums in a consistent (non-random) manner, although either the first side or the second side may be exposed.
[0037] As shown in FIG. 2 , each of the drums includes a plurality of recesses 35 that receive the pellet-shaped articles, and typically, each drum is provided with at source of vacuum pressure to keep the pellet-shaped articles in the recesses. The vacuum pressure is applied to only a portion of each drum, such that the pellet-shaped articles are released at the proper positions.
[0038] Pellet-shaped articles from the feed drum 20 are transferred to the first print drum 25 so that the pellet-shaped articles are reversed, turned over or flipped. Thus, if the first side of the pellet-shaped articles was exposed on the feed drum 20 , the second side of the pellet-shaped articles is exposed on the first print drum 25 . If the second side of the pellet-shaped articles was exposed on the feed drum 20 , after transfer, the first side of the pellet-shaped articles is exposed on the first print drum 25 . Similarly, pellet-shaped articles from the first print drum 25 are transferred to the second print drum 30 so that the pellet-shaped articles are once again reversed, turned over or flipped.」（【００３５】図１は、本発明の一実施形態によるサーボドラム印刷システム１０を示す。システム１０は、ドラム上の矢印で示された方向に回転する３ドラムプリンタ型のコンベヤ１５を含む。３つのドラムは、搬入ドラム２０と、第１印刷ドラムの形の第１処理ドラム２５と、第２印刷ドラムの形の第２処理ドラム３０とを含む。
【００３６】ペレット形状の物品の形の製品、例えば、医薬品または錠菓は、ランダムな順番で搬入ドラムに提供される。一例では、製品はタブレットであるか、または一般にレンズマメの形状であり、搬入ドラム上に下向きにした第１面と、搬入ドラムから逆向きにした第２面とを含み、第２面を処理用に露出させる。物品の他のものは、第２面を下向きにし、第１面を露出させるように配置され、つまり、搬入ドラム内の物品の一部は第１面を露出させ、搬入ドラム内の他のものは第２面を露出させるので、物品は搬入ドラムに「ランダム」に提供されると言われる。物品は一貫させて（ランダムではなく）ドラム上の凹部内に配置されるが、第１面または第２面のいずれを露出させてもよい。
【００３７】図２に示したように、各ドラムはペレット形状の物品を受け取る複数の凹部３５を含み、一般に各ドラムには真空圧源を設け、ペレット形状の物品を凹部内に保持する。真空圧は各ドラムの一部のみに加えられ、ペレット形状の物品は適切な位置で放出される。
【００３８】ペレット形状の物品は搬入ドラム２０から第１印刷ドラム２５に搬送され、ペレット形状の物品を反転、回転、または裏返しする。したがって、ペレット形状の物品の第１面を搬入ドラム２０上で露出させた場合、ペレット形状の物品の第２面を第１印刷ドラム２５上で露出させる。ペレット形状の物品の第２面を搬入ドラム２０上で露出させた場合、ペレッド形状の物品の第１面を第１印刷ドラム２５上で露出させる。同様に、ペレット形状の物品は第１印刷ドラム２５から第２印刷ドラム３０に搬送され、ペレット形状の物品は再び反転、回転または裏返しする。）
（１−４）「[0039] In operation, system 10 will feed a plurality of pellet-shaped articles in the feed drum 20 . The pellet-shaped articles will then be inspected by a drum inspection unit 45 for one characteristic, such as a particular color. In one example, the articles are tablets that deliver a drug on a time-release basis. Such tablets include a first side having a drug and a second side which is sometimes referred to as a “push” layer. The first side with the drug needs to be provided with one or more holes, such that the drug can be released. The “push” layer helps to push the drug out of the tablet once fluids from the digestive track enter the drug side of the tablet via the one or more holes.」（【００３９】動作中、システム１０は、搬入ドラム２０に複数のペレット形状の物品を供給する。続いて、ペレット形状の物品はドラム検査ユニット４５により、特定の色のような１つの特徴が検査される。一例では、物品は、薬成分を時間をかけて放出するタブレットである。このようなタブレットは、薬成分を有する第１面と、「プッシュ」層とも呼ばれる第２面とを含む。薬成分を備えた第１面には、薬成分を放出可能なように１つ以上の穴を設ける必要がある。いったん消化管からの液体が１つ以上の穴を介してタブレットの薬側に入ると、「プッシュ」層は薬成分をタブレットから外に押し出す役割を果たす。）
（１−５）「[0042] The pellet-shaped articles will then be transferred to the first print drum 20 . In the process of being transferred, the articles are turned over to allow processing to occur on the opposite side. The pellet-shaped articles are then inspected by an inspection unit 50 for a second characteristic, such as a particular color. The pellet-shaped articles will then be altered by a first laser unit 60 including a laser 65 controlled by a galvanometer 70 (“galvo”). One example of a suitable laser is the Universal Laser. Model No. UL-60-0EM (a 60 W CO2 laser). One example of a suitable galvo is a 10 mm X+Y flat field galvo with ScribeSmartTM (No. E00-7010272), available from GSI Lumonics. The pellet-shaped articles may be altered by drilling one or more holes through a coating of the pellet-shaped articles. Alternatively, the alteration may take the form of etchings or markings on the surface of the articles, without completely passing through the coating. Examples of suitable integrated laser/galvo marking head units are the Keyence 3-Axis YVO4 MD-V9900 series (8 W), Keyence 3-Axis CO2 ML-Z series (30 W), and Keyence CO2 ML-G series (30 W).」（【００４２】続いて、ペレット形状の物品は、第１印刷ドラム２０へ搬送される。搬送の途中で物品は反転され、反対側に処理を施すことができる。続いて、ペレット形状の物品は、検査ユニット５０により特定の色のような第２の特徴が検査される。続いて、ペレット形状の物品はガルバノメータ７０（「ｇａｌｖｏ」）により制御されるレーザ６５を含む第１レ−ザユニット６０によって変化する。適切なレーザの一例は、Ｕｎｉｖｅｒｓａｌ　Ｌａｓｅｒ．Ｍｏｄｅｌ　Ｎｏ．ＵＬ−６０−０ＥＭ（６０Ｗ　ＣＯ２レーザ）である。適切なｇａｌｖｏの一例は、ＧＳＩ　Ｌｕｍｏｎｉｃｓから入手可能な１０ｍｍＸ＋Ｙ　ｆｌａｔ　ｆｉｅｌｄ　ｇａｌｖｏ　ｗｉｔｈ　ＳｃｒｉｂｅＳｍａｒｔＴＭ（Ｎｏ.Ｅ００−７０１０２７２）である。ペレット形状の物品のコーティングを介して１つ以上の穴を穿孔することによって、ペレット形状の物品を変化させてもよい。あるいは、ここでの変化は、コーティングを完全に貫通しないように物品の表面にエッチングまたはマーキングを行う形であってもよい。適切な集積レーザ／ｇａｌｖｏマーキングヘッドユニットの例は、Ｋｅｙｅｎｃｅ　３−Ａｘｉｓ　ＹＶＯ４　ＭＤ−Ｖ９９００　ｓｅｒｉｅｓ（８Ｗ）、Ｋｅｙｅｎｃｅ　３−Ａｘｉｓ　ＣＯ２　ＭＬ−Ｚ　ｓｅｒｉｅｓ（３０Ｗ）、およびＫｅｙｅｎｃｅ　ＣＯ２　ＭＬ−Ｇ　ｓｅｒｉｅｓ（３０Ｗ）である。）
（１−６）「[0044] The pellet-shaped articles are inspected by an inspection unit 75 for a particular characteristic, which may be a laser hole or a laser printed/etched logo. The pellet-shaped articles are then transferred to the second print drum 30 and, in the transfer process, turned over again to allow more operations to occur on the first side. The pellet-shaped articles will then be altered (e.g., laser holes and/or laser printing/etching) by a second laser unit 80 including a second laser 85 controlled by a second galvo 90 . The laser and galvo may be separate components, or integrated together in one marking head unit, such as the case, for the Keyence models described earlier. The pellet-shaped articles are then inspected by an inspection unit 95 for a particular characteristic, which may be a laser hole or a laser printed/etched logo.」（【００４４】ペレット形状の物品は特定の性質用の検査ユニット７５で検査され、それはレーザ穴またはレーザ印刷／エッチングロゴであってもよい。続いて、ペレット形状の物品は第２印刷ドラム３０に搬送され、搬送処理中、再び反転させ、第１面上でより多くの動作を施すことを可能にする。続いて、ペレット形状の物品は、第２ｇａｌｖｏ９０によって制御される第２レーザ８５を含む第２レーザユニット８０によって変化する（例えば、レーザ穴および／またはレーザ印刷／エッチング）。レーザおよびｇａｌｖｏは別個の部品であってもよく、上記のＫｅｙｅｎｃｅモデルの箇体などの１つのマーキングヘッドユニット内に共に集積してもよい。続いて、ペレット形状の物品は特定の性質用の検査ユニット９５によって検査され、それはレーザ穴またはレーザ印刷／エッチングロゴであってもよい。）
（１−７）「[0049] Using the system described above, the following applications are possible:
[0050] First, laser drill one side of a plurality of pellet shaped articles. Because the articles are oriented in a random order, the first laser unit 60 may act on the first side of some of the articles on the first print drum 25 , while the first side of the remaining articles is acted on by the second laser unit 80 , depending on whether the side to be processed is exposed on the first or the second drum.
[0051] Second, laser drill both sides of a plurality of pellet-shaped articles. If both sides of the articles require the same laser drilled holes, then the first laser unit 60 can provide the holes to all of the articles on the first print drum 25 , regardless of whether the first or second side of the articles is exposed. The articles will then be transferred to the second print drum 30 whereupon the second laser unit 80 will laser all of the articles, regardless of which side is exposed. However, if different hole characteristics are required for the first and second sides of the articles, then it is preferable that the first laser unit 60 drill only on those articles having the specified side exposed, and the second laser unit 80 drill only on the other side. It may also be possible to laser drill one side, and to laser etch/print on the other side.
[0052] Third, laser drill only one side of a plurality, of pellet-shaped articles. The side that receives processing can be selected based on a particular characteristic of the tablet, e.g., a color or some other characteristic like a “Near-Infrared signature”. In one example, the first laser unit 60 operates on some of the articles having the desired side exposed, while the second laser unit 80 operates on the remainder of the articles when the desired side is exposed on the second drum 30 .
[0053] Fourth, laser print/etch one side of a plurality of pellet-shaped articles. Such laser printing can occur on all of the articles at either the first or the second drum, or on some of the articles at the first drum 25 and the remainder of the articles at the second drum 30 , depending on whether the desired side is exposed at the first or the second print drum.
[0054] Fifth, laser print/etch both sides of a plurality of pellet-shaped articles, much like the laser drilled holes are provided, as described above.
[0055] Sixth, laser print/etch only one side of a plurality of pellet-shaped articles, based on a particular characteristic of the tablet, such as a color or some other characteristic like a “Near-Infrared signature”.」（【００４９】上記のシステムを用いると次の用途が可能になる。
【００５０】第１に、複数のペレット形状の物品の片面へのレーザ穿孔。物品はランダムな順番で方向付けられるので、処理される面を第１ドラム上で露出させるか第２ドラム上で露出させるかに依存して、第１レーザユニット６０は第１印刷ドラム２５上の物品の一部の第１面に作用でき、残りの物品の第１面は第２レーザユニット８０によって作用させる。
【００５１】第２に、複数のペレット形状の物品の両面へのレーザ穿孔。物品の両面で同じレーザ穿孔穴を必要とする場合、物品の第１面を露出させるか第２面を露出させるかにかかわらず、第１レーザユニット６０は第１印刷ドラム２５上の全ての物品に穴を設けることができる。続いて、物品は第２印刷ドラム３０に搬送され、第２レーザユニット８０はどの面を露出させるかにかかわらず全ての物品をレーザ照射する。しかし、物品の第１面と第２面で異なる穴特性が要求される場合、第１レーザユニット６０は所定の面を露出させたそれらの物品でのみ穿孔し、第２レーザユニット８０は他の面でのみ穿孔することが望ましい。片面でレーザ穿孔し、他方の面でレーザエッチング／印刷を可能にしてもよい。
【００５２】第３に、複数のペレット形状の物品の片面のみでのレーザ穿孔。例えば、色または「近赤外シグネチャ」のようないくつかの他の性質など、タブレットの特定の性質に基づいて処理を受ける面を選択できる。一例では、第１レーザユニット６０は所望の面を露出させた物品の一部で動作するが、第２レーザユニット８０は第２ドラム３０上で所望の面を露出させたとき、物品の残りの部分で動作する。
【００５３】第４に、複数のペレット形状の物品の片面でのレーザ印刷／エッチング。所望の面を第１印刷ドラムで露出させるか第２印刷ドラムで露出させるかに依存して、このようなレーザ印刷は第１または第２印刷ドラムのいずれかの全ての物品で行っても、第１ドラム２５で物品の一部、および第２ドラム３０で物品の残りの部分に行ってもよい。
【００５４】第５に、複数のペレット形状の物品の両面でのレーザ印刷／エッチングでは、上記のように、レーザ穿孔穴と同様のものが提供される。
【００５５】第６に、色または「近赤外シグネチャ」のようないくつかの他の性質など、タブレットの特定の性質に基づく、複数のペレット形状の物品の片面のみのレーザ印刷／エッチング。）
（１−８）「[0084] Each inspection unit 415 could be in the form of one or more simple photoelectric sensors or a more complicated a multi-camera PC based vision system. The inspection unit provides feedback to the controller based on the inspection data. This could be to provide information in regard to an upcoming operation. This could also be to verify that a previous operation occurred successfully and the pellet-shaped articles are acceptable to discharge.」（【００８４】各検査ユニット４１５は、１つ以上の簡単な光電センサまたはより複雑なマルチカメラＰＣベースのビジョンシステムの形であってもよい。検査ユニットは検査データに基づいて制御部にフィードバックを提供する。これは、次の動作に関する情報を提供することであってもよい。これは、前の動作がうまく行われ、ペレット形状の物品が次の処理に受け入れられることを確認することであってもよい。）
　以上の記載から、甲第１号証には、次の発明が記載されていると認められる（以下、「甲第１号証発明Ａ」という。）。
　「搬入ドラム２０上で露出させた第１面と、該第１面と反対側の第２面と、を有する錠剤の少なくとも一方の面に印刷するサーボドラム印刷システム１０において、
　前記錠剤を搬送する搬入ドラム２０、第１処理ドラム２５及び第２処理ドラム３０と、
　搬送される前記錠剤の前記第１面を検査するドラム検査ユニット４５と、
　前記第２面に印刷する第１レーザユニット６０と、
を備えるサーボドラム印刷システム１０。」
　また、甲第１号証には、次の方法発明が記載されていると認められる（以下、「甲第１号証発明Ｂ」という。）。
　「搬入ドラム２０上で露出させた第１面と、該第１面と反対側の第２面と、を有する錠剤の少なくとも一方の面に印刷された錠剤の製造方法であって、
　前記錠剤を搬送する工程と、
　前記錠剤の搬送中にドラム検査ユニット４５によって前記第１面を検査する工程と、
　前記錠剤の搬送中に前記第２面に印刷する工程と、を備える、錠剤の製造方法。」
（２）甲第２号証には、次のとおり記載されている。
（２−１）「【請求項１】
　ランダムに供給されるワークに対して印刷を行うための印刷方法であって、
　所定のエリア内に導入された前記ワークを撮像するワーク撮像工程と、
　前記ワーク撮像工程で撮像された映像に基づいて、前記ワークのワーク情報を検出するワーク情報検出工程と、
　前記ワーク情報検出工程で検出された前記ワーク情報に基づいて前記ワークに印刷される印刷パターンを作成する印刷パターン作成工程と、
　前記印刷パターン作成工程で作成された前記印刷パターンに基づいて前記ワークに印刷を行う印刷工程と、
を備えた印刷方法。」
（２−２）「【０００１】
　本発明は、ランダムに供給されるワークに対して印刷を行うための印刷方法および印刷装置に関する。」
（２−３）「【００３５】
　図１および図２に示すように、この印刷装置１は、印刷されるべき複数のワークＷがランダムに供給される供給コンベア２を有している。供給コンベア２は、駆動ローラ２０および従動ローラ２１を有しており、駆動ローラ２０には、モータ２５が駆動連結されている。なお、図中、白抜きの矢印は、ワークＷの搬送方向を示している。
【００３６】
　ワークＷとしては、例えば、錠剤（タブレット）等の薬剤の他、ＩＣチップ、工具のバイトチップ等が考えられる。なお、錠剤の中には、平面視円形でかつ中央に溝が形成されているものもあり、この場合には、円形であっても、錠剤自体に方向性があり、印刷位置が特定の位置に限定されるため、本発明による印刷方法が好適なワークである。」
（２−４）「【００４７】
　ステップＳ６では、ＣＣＤカメラ３により、エリアＡ内のワークＷを撮像する。いま、撮像された映像が図６に示すようなものだったとする。同図には、複数のワークＷがエリアＡ内にランダムに配置された状態が示されている。
【００４８】
　次に、ステップＳ７では、ステップＳ６で撮像された映像に基づいて、エリアＡ内のワーク情報を検出する。この処理は、画像処理装置１５において実行される。
【００４９】
　ここで、ワーク情報は、エリアＡ内に配置された各ワークの位置および姿勢（平面内の向きの他、表裏の向きを含む）を含んでいる。すなわち、このステップでは、エリアＡのどの位置にワークＷが配置され、どの向きを向いているかなどのワーク情報が検出される。この場合に、ワークＷが表裏のいずれを向いているかの情報は、例えば、ワークＷの表面に溝を形成しておくようにすれば、溝の形成された側が表側であり、溝の形成されていない側が裏側となる。また、ステップＳ７では、ワークＷの形状の一部に欠け等のある不良品が含まれていないかも併せて判断され、不良品のワークＷの位置も検出される。不良品のワークＷの位置情報は、後工程の制御装置に出力され、不良品のワークＷは、後工程で排出される。なお、ワーク情報としては、ワークＷの位置や姿勢（向き）、形状の他、ワークの種別、個数およびナンバリングを含むようにしてもよい。
【００５０】
　次に、ステップＳ８では、ステップＳ７で検出されたワーク情報に基づいて、各ワークＷに印刷されるべき印刷パターンを作成する。このとき、まず、図７に示すように、エリアＡ内にランダムに配置された各ワークＷに対して、それぞれのワークＷのどの位置にどのような傾きで基本画像データ（図５）を印刷するかを設定する。なお、このとき、ステップＳ７で不良品と判断されたワークＷに対して、このような設定を行わない。そして、この設定に基づいて、図８に示すような、各ワークＷに対する印刷パターンを作成する。この処理は、画像処理装置１５において実行される。作成された印刷パターンは、ＩＪＰコントローラ１６に転送される。
【００５１】
　次に、ステップＳ９では、ステップＳ８で作成された印刷パターンに基づいて、インクジェットプリンタ４により、各ワークＷに対して印刷処理を実行する（図９参照）。なお、この印刷処理は、画像処理装置１５から転送された印刷パターンに基づいて、ＩＪＰコントローラ１６がＩＪＰヘッド４０を駆動制御することにより実行される。このとき、不良品のワークＷに対しては、印刷パターンが作成されていないので、印刷は行われない。また、印刷処理は、各ワークＷがインクジェットプリンタ４の下を通過する間に実行される。」
（２−５）【図２】の記載からみて、搬送面２ａに置かれたワークＷの上面に対して、ＣＣＤカメラ３は撮像するものであり、また、インクジェットプリンタ４は印刷するものであると認められる。
　以上の記載及び図示内容から、甲第２号証には、次の技術事項が記載されていると認められる（以下、「甲第２号証に記載の技術事項」という。）。
　「　溝が形成されている表面と、溝が形成されていない裏面と、を有する錠剤Ｗの一方の面に印刷する印刷装置１を、
　前記錠剤Ｗを搬送する供給コンベア２と、
　搬送される前記錠剤Ｗの上面を撮像するＣＣＤカメラ３と、
　前記ＣＣＤカメラ３によって撮像された映像に基づいて、前記錠剤Ｗの上面に溝があるか否かを判断する手段と、
　前記ＣＣＤカメラ３によって撮像された映像に基づいて、前記錠剤Ｗの上面における前記溝の位置を検出する手段と、
　前記検出する手段により検出された前記溝の位置に基づき、前記錠剤Ｗの上面に印刷するインクジェットプリンタ４と、を備えるものとすること。」
（３）甲第３号証には、次のとおり記載されている。
（３−１）「【請求項１】　記録媒体の表面に対向可能な位置に設けられ、記録ヘッドにより当該記録媒体の表面上に記録剤を付与し表面画像の形成を行う第１記録手段と、
前記記録媒体を前記第１記録手段に対して搬送する第１搬送手段と、
前記記録媒体の裏面に対向可能な位置に設けられ、記録ヘッドにより当該記録媒体の裏面上に記録剤を付与し表面画像の形成を行う第２記録手段と、
前記第１搬送手段の搬送経路の延長上に設けられ、該第１搬送手段から搬送された前記記録媒体を前記第２記録手段に対して搬送する第２搬送手段と、
前記第１記録手段により前記記録媒体の表面に形成させる表面画像に対し、前記第２記録手段により前記記録媒体の裏面に形成される裏面画像を一致させ形成するされるように画像の位置合わせを行う両面位置合わせ制御手段とを備えたことを特徴とする画像形成装置。」
（３−２）「【０００１】
【発明の属する技術分野】本発明は、記録媒体上に画像を形成する画像形成装置および画像形成方法、特には布帛等の伸縮性を有する記録媒体に画像の形成を行う画像形成装置および画像形成方法に関する。また、本発明は、インクを吐出するインクジェットヘッドを用いて画像の形成を行うインクジェット方式を採用した画像形成装置および画像形成方法に関する。」
（３−３）「【００７２】まず、処理が開始されるとステップＳ１において第１記録手段１０４により画像とともに四角形のタイル状の分割線４０３を布帛に形成する。続くステップＳ２において、布帛を表裏反転させた状態で第２記録手段１２５へ搬送し、次にステップＳ３にて、先に布帛上に形成された分割線４０３を光学エリアセンサー１４４を用いて読み取り、表裏反転された布帛の歪み量を判定して補正値５０５〜５１０を算出する。続くステップＳ４では、検知された四角形タイル分割線領域４０２の記録位置に対応する画像領域に対して、算出された補正値５０５から５１０を用いて形状補正処理を行う。次にステップＳ５において、布帛の表裏に形成する画像は表裏それぞれで対象的な鏡像となるため、形状補正処理された領域８０１を左右反転し、１主走査分の記録領域を満たすまで記憶領域９０１〜９０３内に順次並べて格納し、続くステップＳ６で第２記録手段により、布帛の先に画像が形成された面の反対側の面に対し、記憶領域９０２の画像データを用いて画像の形成を行う。
【００７３】このように、先に記録する面に対して画像とともに分割線を形成し、反対の面に対しては、分割線の歪みを判定して画像データを補正して記録を行うことにより、布帛の伸縮等によって画像を形成するべき位置にずれが生じていたとしても、適切な位置に表裏で画像を一致させて形成することができる。」
（４）甲第４号証には、次のとおり記載されている。
（４−１）「【請求項１】
　表面の画像と共に、画像領域外の１箇所に基準マークの画像を形成し、前記画像を用紙の表面に転写する画像形成部と、
　前記画像を前記用紙に定着する定着部と、
　前記用紙の表面に形成された定着後の前記基準マークを検知するラインセンサと、
　定着前の基準マークのサイズと検知された定着後の基準マークのサイズとに基づいて前記用紙の収縮率を求め、該収縮率に基づいて裏面に形成する画像の位置及び倍率を決定する演算部を有する制御部と、を有し、
　前記制御部は、算出された位置および倍率に基づき前記用紙の裏面に画像を形成するように制御する、
　ことを特徴とする画像形成装置。」
（４−２）「【０００１】
　本発明は複写機、プリンタ、ファクシミリ、その複合機などの画像形成装置に関し、特に、用紙の両面に形成される表裏の画像の位置を高精度に合わせることのできる画像形成装置および画像形成方法に関する。」
（４−３）「【００８０】
　（ステップＳ０４）
　ステップＳ０４では、反転された用紙Ｐは、図５に示すように、レジストローラ４３によって所定のタイミングで画像形成部６０に送られる。そして、ラインセンサＳ２が反転させられた状態の用紙Ｐの下方から表面の定着後の基準マークＭを読み込む。ラインセンサＳ２によって読み込まれた基準マークＭの位置情報は図６に示す演算部２に出力される。
　・・・
【００８５】
（ステップＳ０８）
　ステップＳ０８では、倍率決定部２ＤがステップＳ０７で求められた収縮率に基づいて裏面に形成する画像の倍率を決定する。倍率決定部２Ｄは、収縮率算出部２Ｃによって求められた収縮率に従って元の裏面の画像データを縮小する。例えば、副走査方向の収縮率が９０［％］の場合、裏面に形成する画像データの副走査方向の長さを元の画像データに対して９９［％］の長さにする。また、主走査方向の収縮率が９９［％］の場合、裏面に形成する画像データの主走査方向の長さを元の画像データに対して９９［％］の長さにする。これにより、裏面の画像データは、元の画像データと比べて全体として９７．０１［％］に縮小された画像データにより裏面に形成されることになる。
【００８６】
　（ステップＳ０９）
　ステップＳ０９では、位置決定部２ＥがステップＳ０７で求められた収縮率に基づいて裏面に形成する画像の位置を決定する。位置決定部２Ｅは、定着後の基準点ＰＡの位置を基準として裏面画像の形成領域の位置を決定する。表面の定着後の基準点ＰＡの位置は用紙Ｐの収縮率の分だけずれているため、ずれた位置にある定着後の基準点ＰＡを基準として裏面画像の形成領域を決定する。
　・・・
【００８８】
（ステップＳ１０）
　ステップＳ１０では、画像形成部６０にて、用紙Ｐの裏面に画像が形成される。このときステップＳ０９で決定された裏面画像の形成領域内に、収縮率の分だけ縮小された画像が形成される。その結果、表面に画像を形成した後の定着処理によって用紙Ｐが縮小しても、その収縮に合わせて裏面画像の位置及び倍率を決定して裏面に画像を形成するため、表面に形成された画像の位置及びサイズと、裏面に形成された画像の位置及びサイズとを一致させることが可能となる。」
（５）甲第５号証には、次のとおり記載されている。
（５−１）「【請求項１】　給紙部に載積した記録紙をプリント部に給送し、記録紙の第１面に第１画像データを記録して排紙部に排出した後、記録紙の表裏を反転させて給紙部に載積し、再び記録紙をプリント部に給送して記録紙の第２面に第２画像データを記録するプリンタにおいて、
前記各記録紙に記録する第１画像データと第２画像データとの対応を示す識別マークを形成する識別マーク形成手段と、各記録紙の第２面に記録する各第２画像データを記憶する記憶手段と、識別マークを読み取る読取手段とを備え、
各記録紙の第１面記録時には、第１画像データとともにその第１画像データに応じた識別マークを記録し、第２面記録時には、第１面に記録された識別マークを読み取って、第１面に記録した第１画像データに対応する第２画像データを記憶手段から読み出して記録することを特徴とするプリンタ。」
（５−２）「【０００１】
【発明の属する技術分野】本発明は、プリンタに関し、更に詳しくは表面の記録が終了した記録紙を一旦プリンタから取り出した後、その記録紙の表裏を反転させて再びプリンタにセットすることにより、記録紙の表裏両面に記録を行うプリンタに関するものである。」
（５−３）「【００２１】再び、プリント開始の操作がなされると、給紙トレー１５から感熱記録紙１２がサーマルヘッド２３のプリント位置まで搬送される。この搬送中にＣＣＤセンサ２２によって、感熱記録紙１２の第１面１２ａにプリントされた識別マーク４１が読み取られる。
【００２２】識別マーク４１が無い場合には、感熱記録紙１２はそのまま排紙トレー１７に排出される。一方、識別マーク４１が有る場合には、ＣＰＵ３０がその識別マークで示される表裏対応情報と、表裏対応情報メモリ３２に格納されている表裏対応情報とを比較する。そして、第２面１２ｂにプリントすべき裏面印字データを特定し、第１面１２ａにプリントされた表面印字データに対応する裏面印字データが裏面印字データメモリ３３から読み出されて、第２面１２ｂにプリントされる。第２面１２ｂのプリントが完了すると、感熱記録紙１２は排紙口１１ｂから排出されて排紙トレー１７に載積される。」
５　当審の判断
（１）申立て理由Ａについて
（１−１）特許異議申立人は、特許請求の範囲の記載に関し、「（Ｅ），（Ｆ）が行う処理は、（Ｄ）の判定において「錠剤の第１の面に割線がある」と判定された場合のものであると考えられます。
その一方で、（Ｄ）の判定において「錠剤の第１の面に割線が無い」と判定された場合の処理については、請求項１には記載されていません
　このような請求項１の記載では、例えば、（Ｄ）の判定において、「錠剤の第１の面に割線が無い」と判定された場合に、錠剤の第２の面に印刷を行う装置も、特許発明の範囲に含まれてしまいます。しかしながら、そのような処理は、明細書の段落０１１４−０１５３には、記載も示唆もされていません。
　したがって、本件特許の請求項１の記載は、発明の詳細な説明に記載した範囲を超えるものです。
　よって、本件特許は、請求項１およびその従属項について、特許法第３６条第６項第１号（サポート要件）の取消理由を有しています。
　また、本件特許は、請求項８についても、同様に、・・・取消理由を有しています。」（「（ア）第１の記載不備」の欄（特許異議申立書２１〜２２頁））と主張しているので、この点について検討する。
ア　明細書のサポート要件
　特許請求の範囲の記載が、特許法第３６条第６項第１号に係る規定（いわゆる「明細書のサポート要件」）に適合するか否かは、特許請求の範囲の記載と発明の詳細な説明の記載とを対比し、特許請求の範囲に記載された発明が、発明の詳細な説明に記載された発明で、発明の詳細な説明により当業者が当該発明の課題を解決できると認識できる範囲内のものであるか否か、また、その記載や示唆がなくとも当業者が出願時の技術常識に照らし当該発明の課題を解決できる範囲のものであるか否かを検討して判断すべきものである（知財高裁特別部平成１７年（行ケ）第１００４２号参照）。
　これを踏まえ、本件特許の特許請求の範囲の記載が、上記規定に適合するか否かについて検討する（以下同様。）。
　
イ　特許請求の範囲の記載について
　本件特許の特許請求の範囲の記載は、上記「２　本件特許発明」に記載したとおりである。
　
ウ　本件特許明細書の発明の詳細な説明の記載について
　本件特許明細書の発明の詳細な説明には、以下のとおり記載されている。
（ア）「【０００２】
　本発明は、錠剤に印刷する印刷機に関するものである。・・・」
（イ）「【０００６】
　・・・本発明は、かかる事情に鑑み、搬送されている錠剤の両方側の面に印刷したり、搬送されている錠剤の一方側の面及び他方側の面のうち、所望の一方の面に印刷したりできる印刷機を提供することを課題とする。」
（ウ）「【０１１３】
　・・・印刷機は、割線１１がさまざまな位置（向き）の状態で、錠剤１が搬送されていても、割線１１が設けられた面と反対側の面において割線１１と対応する部位１１０を避けた状態で、当該部位１１０を基準として同じように印刷できる構成であってもよい。・・・
【０１１４】
　まず、割線１１と対応する部位１１０を基準として同じように印刷できる印刷機の第１の具体例が、図１５〜図２０を参酌して、以下に説明されている。」
（エ）「【０１１９】
　まず、上方撮像装置５４は、例えば、搬入装置２２で搬送されている錠剤１の上方側の面を撮像する（ステップ１０１ａ）。その後、上方割線判定部１６２２ａは、上方撮像装置５４によって撮像された画像に基づいて、割線１１の有無を判定する（ステップ１０２ａ）。・・・
【０１２０】
　かかる印刷機においては、・・・下方印刷装置４４が、錠剤１の下方側の面に印刷する（ステップ１０５ａ）。この印刷（ステップ１０５ａ）は、以下の通りである。
【０１２１】
　まず、上方割線判定部１６２２ａは、上方撮像装置５４によって撮像された画像に基づいて、割線１１の有無を判定する（ステップ１０５ｂ）。そして、錠剤１の上方側の面に割線１１が有る場合（ステップ１０５ｂの「Ｙ」）、割線位置演算部１６２２ｄは、上方撮像装置５４によって撮像された画像に基づいて、割線１１が所定の位置に対して何度回転した角度であるかを演算する（ステップ１０５ｃ）。その後、印刷情報演算部１６２２ｅは、印刷情報記憶部１６２２ｃに記憶されている印刷情報を呼び出し、呼び出した情報を、割線位置演算部１６２２ｄによって演算した角度だけ回転させるように演算する（ステップ１０５ｄ）。そして、下方印刷装置４４は、印刷情報演算部６２２ｅにおいて演算した情報に基づいて、錠剤１の下方側の面に印刷する。
【０１２２】
　反対に、錠剤１の上方側の面に割線１１が無い場合（ステップ１０５ｂの「Ｎ」）、下方印刷が終了する。」
（オ）「【０１２３】
　また、かかる印刷機においては、下方撮像装置４３は、第１の搬送部２４で搬送されている錠剤１の下方側の面を撮像する（ステップ１１０ａ）。・・・下方検査部１６２７が錠剤１の下方側の面が正常か異常かを検査した（ステップ１１２ａ）後、上方印刷装置５５が錠剤１の上方側の面に印刷する（ステップ１１４ａ）。この印刷（ステップ１１４ａ）は、以下の通りである。
【０１２４】
　まず、下方割線判定部１６２６ａは、下方撮像装置４３によって撮像された画像に基づいて、割線１１の有無を判定する（ステップ１１４ｂ）。そして、錠剤１の下方側の面に割線１１が有る場合（ステップ１１４ｂの「Ｙ」）、割線位置演算部１６２６ｄは、下方撮像装置４３によって撮像された画像に基づいて、割線１１が所定の位置に対して何度回転した角度であるかを演算する（ステップ１１４ｃ）。その後、印刷情報演算部１６２６ｅは、印刷情報記憶部１６２６ｃに記憶されている印刷情報を呼び出し、呼び出した情報を、割線位置演算部１６２６ｄにおいて演算した角度だけ回転させるように演算する（ステップ１１４ｄ）。上方印刷装置５５は、印刷情報演算部１６２６ｅにおいて演算した情報に基づいて、錠剤１の上方側の面に印刷する。
【０１２５】
　反対に、錠剤１の下方側の面に割線１１が有る場合（ステップ１１４ｂの「Ｎ」）、上方印刷が終了する。」
エ　検討
（ア）上記ウの（ア）〜（ウ）の記載からみて、発明の詳細な説明には、「搬送されている錠剤の両方側の面に印刷したり、搬送されている錠剤の一方側の面及び他方側の面のうち、所望の一方の面に印刷したりできる印刷機を提供する」ことと、「印刷機は、割線１１がさまざまな位置（向き）の状態で、錠剤１が搬送されていても、割線１１が設けられた面と反対側の面において割線１１と対応する部位１１０を避けた状態で、当該部位１１０を基準として同じように印刷できる構成」とすることとが記載されていることから、本件特許発明の課題は、「搬送されている錠剤に対し、両方側の面に印刷したり、一方側の面及び他方側の面のうち、所望の一方の面に印刷したりできるとともに、その印刷を割線が設けられた面と反対側の面において割線と対応する部位を避けた状態で、当該部位を基準として印刷機を提供すること」であるといえる。
（イ）また、上記ウの（エ）、（オ）の記載からみて、発明の詳細な説明には、（ｉ）「印刷機を、搬送される錠剤１の上方側の面を撮像する上方撮像装置５４と、前記上方撮像装置５４によって得られた画像に基づいて、前記上方側の面に割線１１があるか否かを判定し、前記上方撮像装置５４によって得られた画像に基づいて、前記上方側の面における前記割線１１の位置を算出する割線位置演算部１６２２ｄと、前記割線位置演算部１６２２ｄにより算出された前記割線１１の位置に基づき、下方側の面に印刷する下方印刷装置４４と、を備えるものとすること」と、（ii）「印刷機を、搬送される錠剤１の下方側の面を撮像する下方撮像装置４３と、前記下方撮像装置４３によって得られた画像に基づいて、前記下方側の面に割線１１があるか否かを判定し、前記下方撮像装置４３によって得られた画像に基づいて、前記下方側の面における前記割線１１の位置を算出する割線位置演算部１６２６ｄと、前記割線位置演算部１６２６ｄにより算出された前記割線１１の位置に基づき、上方側の面に印刷する上方印刷装置５５と、を備えるものとすること」とが記載されている。
　したがって、「印刷機を、搬送される錠剤の一方側の面を撮像する一方側撮像装置と、前記一方側撮像装置によって得られた画像に基づいて、前記一方側の面に割線があるか否かを判定し、前記一方側撮像装置によって得られた画像に基づいて、前記一方側の面における前記割線の位置を算出する割線位置演算部と、前記割線位置演算部により算出された前記割線の位置に基づき、他方側の面に印刷する他方側印刷装置と、を備えるものとすること」が記載されているといえる。
（ウ）よって、発明の詳細な説明には、本件特許発明の課題が、「搬送されている錠剤に対し、両方側の面に印刷したり、一方側の面及び他方側の面のうち、所望の一方の面に印刷したりできるとともに、その印刷を割線が設けられた面と反対側の面において割線と対応する部位を避けた状態で、当該部位を基準として印刷機を提供すること」であり、課題を解決するための手段が、「印刷機を、搬送される錠剤の一方側の面を撮像する一方側撮像装置と、前記一方側撮像装置によって得られた画像に基づいて、前記一方側の面に割線があるか否かを判定し、前記一方側撮像装置によって得られた画像に基づいて、前記一方側の面における前記割線の位置を算出する割線位置演算部と、前記割線位置演算部により算出された前記割線の位置に基づき、他方側の面に印刷する他方側印刷装置と、を備えるものとすること」であることが記載されている。
（エ）そして、本件特許発明の課題を解決するための手段は、本件特許発明１において特定されているものといえる。
　また、上記課題からみて、本件特許発明１において、「錠剤の第１の面に割線が無い」と判定された場合の処理について何ら特定されず、たとえ、それがどのようなものであったとしても、本件特許発明の課題を解決する手段として成立し得ることは技術常識を踏まえれば明らかであることから、本件特許発明１においてそのような特定が何らなされていないとしても、本件特許発明１が、発明の詳細な説明において発明の課題が解決できることを当業者が認識できるように記載された範囲を超えていると判断することはできない。
　したがって、構成要件（Ｄ）〜（Ｆ）に関し、本件特許発明１は、発明の詳細な説明に記載された発明で、発明の詳細な説明により当業者が当該発明の課題を解決できると認識できる範囲内のものである。
（オ）また、本件特許発明８も、同様の理由により、本件特許明細書の発明の詳細な説明に記載された発明で、発明の詳細な説明により当業者が当該発明の課題を解決できると認識できる範囲内のものである。
オ　小括
　以上のとおりであるから、特許異議申立人の上記主張は理由がなく、特許請求の範囲の記載は、特許法第３６条第６項第１号に係る規定に適合するものである。
（１−２）また、特許異議申立人は、特許請求の範囲の記載に関し、「構成要件（Ｆ）の記載では、単に「・・・割線の位置に
基づき
割線の位置の情報をどのように使って、第２の面にどのように印刷を行うのかが、不明確です
　したがって、本件特許の請求項１の記載は、不明確であるとともに、発明の詳細な説明に記載した範囲を超えるものです。
　よって、本件特許は、請求項１およびその従属項について、特許法第３６条第６項第１号（サポート要件）および第２号（明確性）の取消理由を有しています。
　また、本件特許は、請求項８についても、同様に、・・・取消理由を有しています。」（「（イ）第２の記載不備」の欄（特許異議申立書２２頁））と主張しているので、この点について検討する。
　
ア　最初に、構成要件（Ｆ）の記載は不明確であるかどうかについてみてみる。
　「（Ｆ）前記第１の割線位置演算部により算出された前記割線の位置に基づき、前記第２の面に印刷する第２の印刷装置」は、それ自体明確であって技術的意味を特定できるものであることは明らかである。
　したがって、構成要件（Ｆ）の記載は明確である。
イ　次に、構成要件（Ｆ）に関し、本件特許の請求項１の記載は、発明の詳細な説明に記載した範囲を超えるものであるかどうかについてみてみる。
　発明の詳細な説明には、割線位置演算部により算出された割線の位置に基づき、錠剤の面に印刷することの一態様として、「【０１２１】・・・印刷情報演算部１６２２ｅは、印刷情報記憶部１６２２ｃに記憶されている印刷情報を呼び出し、呼び出した情報を、割線位置演算部１６２２ｄによって演算した角度だけ回転させるように演算する（ステップ１０５ｄ）。そして、下方印刷装置４４は、印刷情報演算部６２２ｅ（当審注：「１６２２ｅ」の誤記。）において演算した情報に基づいて、錠剤１の下方側の面に印刷する。」、「【０１２４】・・・印刷情報演算部１６２６ｅは、印刷情報記憶部１６２６ｃに記憶されている印刷情報を呼び出し、呼び出した情報を、割線位置演算部１６２６ｄにおいて演算した角度だけ回転させるように演算する（ステップ１１４ｄ）。上方印刷装置５５は、印刷情報演算部１６２６ｅにおいて演算した情報に基づいて、錠剤１の上方側の面に印刷する。」と記載されている。
　そして、技術常識に照らしてみれば、割線位置演算部により算出された割線の位置に基づき、錠剤の面に印刷することについて、「搬送されている錠剤に対し、両方側の面に印刷したり、一方側の面及び他方側の面のうち、所望の一方の面に印刷したりできるとともに、その印刷を割線１１と対応する部位１１０を基準とする印刷機を提供すること。」との本件特許発明の課題を解決するための手段が、発明の詳細な説明に記載の上記一態様に限定されるものでないことは明らかである。
　一方、上記「（１−１）エ（エ）」欄に記載したとおり、発明の詳細な説明に記載された、課題を解決するための手段は、本件特許発明１において特定されているものである。
　したがって、構成要件（Ｆ）に関し、本件特許発明１は、発明の詳細な説明に記載された発明で、発明の詳細な説明により当業者が当該発明の課題を解決できると認識できる範囲内のものである。
ウ　また、本件特許発明８も、上記ア及びイと同様の理由により、発明は明確であり、また、本件特許明細書の発明の詳細な説明に記載された発明で、発明の詳細な説明により当業者が当該発明の課題を解決できると認識できる範囲内のものである。
エ　小括
　以上のとおりであるから、特許異議申立人の上記主張は理由がなく、特許請求の範囲の記載は、特許法第３６条第６項第１号及び２号に係る規定に適合するものである。
（１−３）また、特許異議申立人は、発明の詳細な説明の記載に関し、「本件特許の明細書の段落０１１４−０１２７には、「割線１１と対応する部位１１０を基準として同じように印刷できる印刷機の第１の具体例」が記載されています。
　この第１の具体例では、「上方撮像装置５４が搬送装置２３の上流側（例えば搬入装置２２等）に配置されている」（段落０１１５）とされています。しかしながら、本件特許には、この上方撮像装置５４の配置を示した図はありません。
　仮に、図１に示された搬入装置２２に、上方撮像装置５４を配置することを考えたとしても、搬入装置２２には、搬送方向のほぼ全体に亘って、錠剤２２を整列させる整列部２２２が設けられています。
整列前や整列途中の錠剤を撮影しても、整列後の割線の位置を把握することはできないと考えられますので、上方撮像装置５４の配置は、搬入装置のどこでもよいという訳ではありません
　しかしながら、・・・上方撮像装置５４を、搬入装置２２のどの位置に配置すべきかということまで、具体的に記載されていません。
　したがって、本件特許の発明の詳細な説明の記載は、本件特許の請求項１の「第１の撮像装置」を、当業者が実施することができる程度に明確かつ十分に記載したものとは言えません。
　よって、本件特許は、特許法第３６条第４項第１号（実施可能要件）の取消理由を有しています。」（「（ウ）第３の記載不備」の欄（特許異議申立書２２〜２３頁））と主張しているので、この点について検討する。
ア　発明の詳細な説明には、上方撮像装置５４に関して次のとおり記載されている。
「【０１１５】
　この印刷機では、上方撮像装置５４が搬送装置２３の上流側（例えば搬入装置２２等）に配置されている。・・・
【０１１９】
　まず、上方撮像装置５４は、例えば、搬入装置２２で搬送されている錠剤１の上方側の面を撮像する（ステップ１０１ａ）。その後、上方割線判定部１６２２ａは、上方撮像装置５４によって撮像された画像に基づいて、割線１１の有無を判定する（ステップ１０２ａ）。・・・
【０１２１】
　まず、上方割線判定部１６２２ａは、上方撮像装置５４によって撮像された画像に基づいて、割線１１の有無を判定する（ステップ１０５ｂ）。そして、錠剤１の上方側の面に割線１１が有る場合（ステップ１０５ｂの「Ｙ」）、割線位置演算部１６２２ｄは、上方撮像装置５４によって撮像された画像に基づいて、割線１１が所定の位置に対して何度回転した角度であるかを演算する（ステップ１０５ｃ）。・・・」
イ　上記記載からみて、上方撮像装置５４によって撮像された画像は、上方割線判定部１６２２ａが割線１１の有無を判定すること、及び、割線位置演算部１６２２ｄが割線１１の位置を演算することのために用いられるものである。
　そうすると、搬送装置２３の上流側（例えば搬入装置２２等）の上方撮像装置５４は、どの位置に配置すべきかについての記載はないものの、搬送装置２３に支障を及ぼすことのないようにすることと、上記画像を撮像できるようにするものであることが考慮され、配置場所等について適宜必要な手段が講じられることは当業者にとって明らかである。
　そして、上方撮像装置５４は、本件特許の請求項１の「第１の撮像装置」に対応するものである。
　したがって、本件特許明細書の発明の詳細な説明の記載は、本件特許の請求項１の「第１の撮像装置」について、当業者が実施することができる程度に明確かつ十分に記載したものである。
ウ　小括
　以上のとおりであるから、特許異議申立人の上記主張は理由がなく、発明の詳細な説明の記載は、特許法第３６条第４項第１号に係る規定に要件を満たすものである。
（１−４）また、特許異議申立人は、発明の詳細な説明の記載に関し、「本件特許の明細書の段落０１１４−０１２７には、「割線１１と対応する部位１１０を基準として同じように印刷できる印刷機の第１の具体例」が記載されています。
　この第１の具体例では、
ステップ１０５ａで、下方側印刷装置４４が錠剤１の下方側の面に印刷をした後に、ステップＳ１１０ａで、下方撮像装置４３が、錠剤１の下方側の面を撮像します
　よって、本件特許は、特許法第３６条第４項第１号（実施可能要件）の取消理由を有しています。」（「（エ）第４の記載不備」の欄（特許異議申立書２３〜２４頁））と主張しているので、この点について検討する。
ア　発明の詳細な説明には、印刷機の下方撮像装置４３、下方印刷装置４４、上方撮像装置５４、上方印刷装置５５について「【００４７】
　下方撮像装置４３は、第１の検出部４１よりも下流側に配置されると共に、第１の搬送部２４よりも下方側に配置される。そして、下方撮像装置４３は、制御ユニット６の制御に基づいて、錠剤１の下方側の面を撮像する。・・・
【００４８】
　下方印刷装置４４は、下方撮像装置４３よりも下流側に配置されると共に、第１の搬送部２４よりも下方側に配置される。そして、下方印刷装置４４は、制御ユニット６の制御に基づいて、錠剤１の下方側の面に印刷する。・・・
【００５３】
　上方撮像装置５４は、側方撮像装置５３よりも下流側に配置されると共に、第２の搬送部２５よりも上方側に配置される。そして、上方撮像装置５４は、制御ユニット６の制御に基づいて、錠剤１の上方側の面を撮像する。・・・
【００５４】
　上方印刷装置５５は、上方撮像装置５４よりも下流側に配置されると共に、第２の搬送部２５よりも上方側に配置される。そして、上方印刷装置５５は、制御ユニット６の制御に基づいて、錠剤１の上方側の面に印刷する。・・・」と記載されている。
イ　また、【０１１９】〜【０１２５】の記載（上記「（１−１）ウ」欄を参照。）と【図１６】の記載とを併せてみて、「割線１１と対応する部位１１０を基準として同じように印刷できる印刷機の第１の具体例」として、印刷機は、（ｉ）上方撮像装置５４による錠剤１の上方側の面の撮像、（ii）下方印刷装置４４による錠剤１の下方側の面への印刷、（iii ）下方撮像装置４３による錠剤１の下方側の面の撮像、（iv）上方印刷装置５５による錠剤の上方側の面への印刷の順序で処理を行うものであることが記載されている。
ウ　そして、印刷機において上記処理を行うにあたり、下方撮像装置４３、下方印刷装置４４、上方撮像装置５４、上方印刷装置５５を順序を含めどのように配置するかは、当業者が必要に応じて適宜決定する程度の事項であると認められる。
　
エ　したがって、本件特許の発明の詳細な説明の記載は、「割線１１と対応する部位１１０を基準として同じように印刷できる印刷機の第１の具体例」において「ステップ１０５ａで、下方側印刷装置４４が錠剤１の下方側の面に印刷をした後に、ステップＳ１１０ａで、下方撮像装置４３が、錠剤１の下方側の面を撮像」することについての具体的な記載はないものの、当業者が実施することができる程度に明確かつ十分に記載したものである。
オ　小括
　以上のとおりであるから、特許異議申立人の上記主張は理由がなく、発明の詳細な説明の記載は、特許法第３６条第４項第１号に係る規定に要件を満たすものである。
（１−５）また、特許異議申立人は、特許請求の範囲の記載に関し、「構成要件（Ｆ），（Ｉ）の記載では、各印刷装置の向きは限定されていません。このため、例えば、第２の印刷装置と第１の印刷装置とが、いずれも錠剤の上方側に配置されていて、第２の印刷装置と第１の印刷装置との間で、印刷装置の向きではなく、錠剤の表裏を反転させる場合も、特許発明の範囲に含まれてしまいます。
　しかしながら、本件の明細書には、「第２の印刷装置」および「第１の印刷装置」の例として、錠剤の下方側に位置する「下方印刷装置４４」および錠剤の上方側に位置する「上方印刷装置５５」の組み合わせしか、記載されていません。
　したがって、本件特許の請求項１および請求項３の記載は、発明の詳細な説明に記載した範囲を超えるものです。
　よって、本件特許は、請求項１、請求項３、およびこれらの従属項について、特許法第３６条第６項第１号（サポート要件）の取消理由を有しています。」（「（オ）第５の記載不備」の欄（特許異議申立書２４頁））と主張しているので、この点について検討する。
ア　本件特許発明１は、請求項１に記載された事項により特定されるものであるところ、当該請求項には「（Ｆ）前記第１の割線位置演算部により算出された前記割線の位置に基づき、前記第２の面に印刷する第２の印刷装置」と記載されているから、第２の印刷装置は、その向きについて特定されない。
　また、上記「（１−１）エ（ウ）」欄に記載したとおり、本件特許発明の課題は、「搬送されている錠剤に対し、両方側の面に印刷したり、一方側の面及び他方側の面のうち、所望の一方の面に印刷したりできるとともに、その印刷を割線が設けられた面と反対側の面において割線と対応する部位を避けた状態で、当該部位を基準として印刷機を提供すること」であり、課題を解決するための手段は、「印刷機を、搬送される錠剤の一方側の面を撮像する一方側撮像装置と、前記一方側撮像装置によって得られた画像に基づいて、前記一方側の面に割線があるか否かを判定し、前記一方側撮像装置によって得られた画像に基づいて、前記一方側の面における前記割線の位置を算出する割線位置演算部と、前記割線位置演算部により算出された前記割線の位置に基づき、他方側の面に印刷する他方側印刷装置と、を備えるものとすること」であるところ、課題と課題を解決するための手段との関係からみても、第２の印刷装置の向きは、どのような向きであってもよく、当業者が必要に応じて適宜決定する程度の事項であり、特定されなければならないとする特段の理由もない。
　したがって、本件特許発明１は、第２の印刷装置の向きについての特定がされていないことを理由に、発明の詳細な説明に記載した範囲を超えるものであるとすることはできない。
イ　本件特許発明３は、請求項３に記載された事項により特定されるものであるところ、当該請求項には「（Ｉ）前記第１の面に印刷する第１の印刷装置」と記載されているものの、第１の印刷装置は、その向きについては特定されていない。
　また、上記ア欄に記載した理由と同様に、課題と課題を解決するための手段との関係からみても、第１の印刷装置の向きは、どのような向きであってもよく、当業者が必要に応じて適宜決定する程度の事項であり、特定されなければならないとする特段の理由もない。
　そして、このことは、特許異議申立人の主張する「第２の印刷装置と第１の印刷装置とが、いずれも錠剤の上方側に配置されていて、第２の印刷装置と第１の印刷装置との間で、印刷装置の向きではなく、錠剤の表裏を反転させる場合」であっても同様であるといえる。
　したがって、本件特許発明３は、第１の印刷装置の向きについての特定がされていないことを理由に、発明の詳細な説明に記載した範囲を超えるものであるとすることはできない。
ウ　小括
　以上のとおりであるから、特許異議申立人の上記主張は理由がなく、特許請求の範囲の記載は、特許法第３６条第６項第１号に係る規定に適合するものである。
（１−６）まとめ
　以上のとおり、特許異議申立人の主張する（１−１）〜（１−５）のいずれも理由がないから、申立て理由Ａによっては、請求項１〜８に係る特許を取り消すことはできない。
（２）申立て理由Ｂについて
（２−１）本件特許発明１について
ア　対比
　本件特許発明１と甲第１号証発明Ａとを対比すると、その構造または機能からみて、甲第１号証発明Ａの「搬入ドラム２０上で露出させた第１面」は、本件特許発明１の「第１の面」に相当し、以下同様に、「第２面」は「第２の面」に、「錠剤」は「錠剤」に、「サーボドラム印刷システム１０」は「印刷機」に、「搬入ドラム２０、第１処理ドラム２５及び第２処理ドラム３０」は「搬送装置」に、「検査する」は「撮像する」に、「ドラム検査ユニット４５」は「第１の撮像装置」に、「第１レーザユニット６０」は「第２の印刷装置」に、それぞれ相当する。
　また、甲第１号証発明Ａの「前記第２面に印刷する第１レーザユニット６０」と、本件特許発明１の「前記第１の割線位置演算部により算出された前記割線の位置に基づき、前記第２の面に印刷する第２の印刷装置」とは、「前記第２の面に印刷する第２の印刷装置」である限りにおいて一致する。
　したがって、両者は、「第１の面と、該第１の面と反対側の第２の面と、を有する錠剤の少なくとも一方の面に印刷する印刷機において、
　前記錠剤を搬送する搬送装置と、
　搬送される前記錠剤の前記第１の面を撮像する第１の撮像装置と、
前記第２の面に印刷する第２の印刷装置と、
を備える印刷機。」である点で一致し、次の点で相違する。
（相違点１）
　本件特許発明１は、「（前記）第１の撮像装置によって得られた画像に基づいて、（前記）第１の面に溝形状の割線があるか否かを判定する第１の割線判定部」を備えるのに対し、甲第１号証発明Ａは当該構成を備えていない点。
（相違点２）
　本件特許発明１は、「（前記）第１の撮像装置によって得られた画像に基づいて、（前記）第１の面における（前記）割線の位置を算出する第１の割線位置演算部」を備え、第２の印刷装置は、「前記第１の割線位置演算部により算出された前記割線の位置に基づき、（前記）第２の面に印刷する」ものであるのに対し、甲第１号証発明Ａは、「（前記）第１の撮像装置によって得られた画像に基づいて、（前記）第１の面における（前記）割線の位置を算出する第１の割線位置演算部」を備えておらず、それゆえ、第２の印刷装置は、「前記第１の割線位置演算部により算出された前記割線の位置に基づき、（前記）第２の面に印刷する」ものでもない点。
イ　判断
　最初に相違点２について検討する。
　甲第２号証〜甲第５号証に、相違点２に係る記載又は示唆があるかどうかみてみる。
　甲第２号証には、「甲第２号証に記載の技術事項」が記載されているところ、当該技術事項における「搬送される錠剤Ｗの上面」が本件特許発明１の「第１の面」に、以下同様に、「ＣＣＤカメラ３」が「第１の撮像装置」に、「溝の位置を検出する手段」が「第１の割線位置演算部」に、「インクジェットプリンタ４」が「第２の印刷装置」に、それぞれ対応するものであるとしてみても、インクジェットプリンタ４は、搬送される錠剤Ｗの上面に印刷するものであって、搬送される錠剤Ｗの上面と反対側の面に印刷するものではない。
　したがって、甲第２号証には、第１の割線位置演算部により算出された割線の位置に基づき、第２の面に印刷することについての記載も示唆もあるとすることはできない。
　次に、甲第３号証〜甲第５号証をみてみると、甲第３号証には「布帛等の伸縮性を有する記録媒体に画像の形成を行う画像形成装置および画像形成方法」に関する技術、甲第４号証には「用紙の両面に形成される表裏の画像の位置を高精度に合わせることのできる画像形成装置および画像形成方法」に関する技術、甲第５号証には「表面の記録が終了した記録紙を一旦プリンタから取り出した後、その記録紙の表裏を反転させて再びプリンタにセットすることにより、記録紙の表裏両面に記録を行うプリンタ」に関する技術がそれぞれ記載されているにすぎず、いずれも溝形状の割線を有する錠剤についてのものではなく、錠剤の表裏いずれかの面にある当該割線の位置に応じて他方の面に印刷を行うものでもない。
　また、甲第３号証〜甲第５号証のいずれにも、印刷機が、撮像装置によって得られた部材の第１の面の画像に基づいて、第１の面の位置情報を算出する手段と、その第１の面の位置情報に基づき当該部材の第２の面に印刷する印刷装置とを備えることについての記載も示唆もない。
　したがって、甲第３号証〜甲第５号証には、相違点２に係る本件特許発明１の発明特定事項についての記載も示唆もない。
　よって、甲第１号証発明Ａにおいて、第１の撮像装置によって得られた画像に基づいて、第１の面における割線の位置を算出する第１の割線位置演算部を備え、第２の印刷装置は、前記第１の割線位置演算部により算出された前記割線の位置に基づき、（前記）第２の面に印刷するものとすることは容易になし得たものであるとすることはできない。
ウ　小括
　以上のとおりであるから、相違点１について検討するまでもなく、本件特許発明１は、甲第１号証〜甲第５号証に記載された発明に基づいて当業者が容易に発明をすることができたとすることはできない。
（２−２）本件特許発明２〜６について
　本件特許発明２〜６は、本件特許発明１の構成をその構成の一部とするものであるから、上記（２−１）に記載した理由と同様の理由により、当業者が容易に発明をすることができたものとすることはできない。
（２−３）本件特許発明８について
ア　対比
　本件特許発明８と甲第１号証発明Ｂとを対比すると、その構造または機能からみて、甲第１号証発明Ｂの「搬入ドラム２０上で露出させた第１面」は、本件特許発明８の「第１の面」に相当し、以下同様に、「第２面」は「第２の面」に、「錠剤」は「錠剤」に、「印刷」は「印刷」に、「搬送する」は「搬送する」に、「ドラム検査ユニット４５」は「第１の撮像装置」に、「検査する」は「撮像する」に、それぞれ相当する。
　また、甲第１号証発明Ｂの「印刷された錠剤」と、本件特許発明８の「印刷情報を印刷された錠剤」とは、「印刷された錠剤」である限りにおいて一致する。
　また、甲第１号証発明Ｂの「前記錠剤の搬送中に前記第２面に印刷する工程」と、本件特許発明８の「前記第１の撮像装置によって得られた画像に基づき、前記割線の位置を算出する工程と、
前記割線の位置の算出結果に基づき、前記錠剤の前記第２の面に印刷するための印刷情報を生成する工程と、
前記錠剤の搬送中に前記印刷情報に基づいて前記第２の面に印刷する工程」とは、「前記錠剤の搬送中に前記第２の面に印刷する工程」である限りにおいて一致する。
　したがって、両者は、「第１の面と、該第１の面と反対側の第２の面と、を有する錠剤の少なくとも一方の面に印刷された錠剤の製造方法であって、
　前記錠剤を搬送する工程と、
　前記錠剤の搬送中に第１の撮像装置によって前記第１の面を撮像する工程と、
　前記錠剤の搬送中に前記第２の面に印刷する工程と、
を備える、錠剤の製造方法。」である点で一致し、次の点で相違する。
（相違点１’）
　本件特許発明８は、「（前記）第１の撮像装置によって得られた画像に基づき、（前記）第１の面に溝形状の割線があるか否かを判定する工程」を備えるのに対し、甲第１号証発明Ｂは当該工程を備えていない点。
（相違点２’）
　本件特許発明８は、「印刷情報を印刷された錠剤」に関するものであって、「（前記）第１の撮像装置によって得られた画像に基づき、（前記）割線の位置を算出する工程と、前記割線の位置の算出結果に基づき、（前記）錠剤の前記第２の面に印刷するための印刷情報を生成する工程と、
　前記錠剤の搬送中に前記印刷情報に基づいて前記第２の面に印刷する工程」を備えるのに対し、甲第１号証発明Ｂは、「（前記）第１の撮像装置によって得られた画像に基づき、（前記）割線の位置を算出する工程」を備えておらず、それゆえ、「前記割線の位置の算出結果に基づき、（前記）錠剤の前記第２の面に印刷するための印刷情報を生成する工程と、
　前記錠剤の搬送中に前記印刷情報に基づいて前記第２の面に印刷する工程」を備えるものでなく、また、「印刷情報を印刷された錠剤」に関するものでもない点。
イ　判断
　最初に相違点２’について検討する。
　甲第２号証〜甲第５号証に、相違点２’に係る記載又は示唆があるかどうかみてみる。
　甲第２号証には、「甲第２号証に記載の技術事項」が記載されているところ、当該技術事項における「搬送される錠剤Ｗの上面」が本件特許発明８の「第１の面」に、以下同様に、「ＣＣＤカメラ３」が「第１の撮像装置」に、「溝の位置を検出する」が「割線の位置を算出する」に、「印刷する」が「印刷する」に、それぞれ対応するものであるとしてみても、甲第２号証の、インクジェットプリンタ４による印刷は、錠剤Ｗの上面に印刷するものであって、錠剤Ｗの上面と反対側である第２の面の面に印刷するものではない。
　したがって、甲第２号証には、錠剤の搬送中に印刷情報に基づいて第２の面に印刷する工程についての記載も示唆もあるとすることはできない。
　次に、甲第３号証〜甲第５号証をみてみると、上記「（２−１）イ」欄に記載したとおり、いずれも溝形状の割線を有する錠剤についてのものではなく、錠剤の表裏いずれかの面にある当該割線の位置に応じて他方の面に印刷を行うものでもない。
　また、甲第３号証〜甲第５号証のいずれにも、撮像装置によって得られた部材の第１の面の画像に基づいて、第１の面の位置情報を算出する工程と、当該位置情報に基づいて、当該部材の第２の面に印刷する工程とを備える印刷方法についての記載も示唆もない。
　したがって、甲第３号証〜甲第５号証には、相違点２’に係る本件特許発明８の発明特定事項についての記載も示唆もない。
　よって、甲第１号証発明Ｂにおいて、第１の撮像装置によって得られた画像に基づき、割線の位置を算出する工程を備え、第２の面に印刷するため工程は、前記割線の位置の算出結果に基づき、錠剤の前記第２の面に印刷するための印刷情報を生成する工程と、前記錠剤の搬送中に前記印刷情報に基づいて前記第２の面に印刷する工程であるものとすることは容易になし得るとすることはできない。
ウ　小括
　以上のとおりであるから、相違点１’について検討するまでもなく、本件特許発明８は、甲第１号証〜甲第５号証に記載された発明に基づいて当業者が容易に発明をすることができたとすることはできない。
（２−４）まとめ
　以上のとおり、特許異議申立人の主張する（２−１）〜（２−３）のいずれも理由がないから、特許異議申立人の申立て理由Ｂによっては、請求項１〜６及び８に係る特許を取り消すことはできない。
６　むすび
　したがって、特許異議の申立ての理由及び証拠によっては、請求項１〜８に係る特許を取り消すことはできない。
　また、他に請求項１〜８に係る特許を取り消すべき理由を発見しない。
　よって、結論のとおり決定する。
【異議決定日】
平成３１年３月２７日（２０１９．３．２７）